(57)【特許請求の範囲】
【請求項１】
手動推進車両の逆Ｕ字状をなすハンドルに着脱可能に取り付けられる収納具において、
上部に開口を有し、物品を収納する収納具本体と、
その両端が前記収納具本体の側部の一部に取り付けてある１本の提げ紐と、
該提げ紐の中途に設けてある第１係止部と、
前記収納具本体の側部の他部及び前記一部に夫々設けてあり、その何れか一方が前記第１係止部を係脱可能に係止して、前記提げ紐を、前記開口の上方、又は前記一部の外側でループ状となすための第２係止部と
を備え、
前記ハンドルに前記提げ紐を巻き掛け、該提げ紐が、前記開口の上方、又は前記一部の外側でループ状となるように、前記第１係止部と、前記他部に設けられた第２係止部、又は前記一部に設けられた第２係止部とを係止させることによって、前記ハンドルに取り付けられるようにしてあることを特徴とする収納具。
【請求項２】
前記他部に設けられた第２係止部は前記開口の近傍に配してあり、
前記一部に設けられた第２係止部は、前記他部に設けられた第２係止部の位置よりも前記収納具本体の底部側の位置に配してあることを特徴とする請求項１に記載の収納具。
【発明の詳細な説明】
【技術分野】
【０００１】
本発明は、手動推進車両のハンドルに着脱可能に取り付けられる収納具に関する。
【背景技術】
【０００２】
ベビーカー、チャイルドカー、ショッピングカート等の手動推進車両（手押し車）のハンドルに着脱可能に取り付けられる収納具は、収納具本体がハンドルの下側又は手動推進車両の背面側に配されるため、手動推進車両を押すユーザが容易に物品の出し入れを行なうことができ、収納具が不要である場合は容易に取り外すことができる。
【０００３】
従来、正面視矩形状の収納具本体の上下四隅に取り付け紐を設け、取り付け紐を手動推進車両の逆Ｕ字状をなすハンドル及び該ハンドル下部の手動推進車両のフレームに繋着し、また、取り付け紐を解いてハンドル及びフレームから離脱させることによって手動推進車両のハンドルに着脱可能に取り付けられる収納具が開示されている（特許文献１参照）。
【０００４】
また、鞄、手提げ袋等の収納具の手提げ部が着脱可能に掛止されることによって収納具を手動推進車両のハンドルに吊り下げるフックが開示されている（特許文献２参照）。
【特許文献１】特開平１１−１０５７１４号公報
【特許文献２】特開２００３−３１４５２７号公報
【発明の開示】
【発明が解決しようとする課題】
【０００５】
しかしながら、特許文献１に開示されている収納具は、手動推進車両のハンドル及びフレームに対する取り付け部分が４個あるため、収納具の着脱に際して、ユーザの利便性が悪いという問題があった。
【０００６】
また、特許文献２に開示されているフックは、収納具の手提げ部をフックに係止するため、収納具の手提げ部が一箇所に集められ、特に袋状の収納具本体の開口が狭まって物品を出し入れする場合にユーザの利便性が悪いという問題があった。
【０００７】
本発明は斯かる問題を解決するためになされたものであり、その主たる目的は、提げ紐に設けてある第１係止部と収納具本体の側部の一部及び他部夫々に設けてある第２係止部とを係止してループ状となした提げ紐で、収納具本体を手動推進車両のハンドルに着脱可能に取り付ける構成とすることにより、手動推進車両のハンドルに対する取り付けが簡便であり、容易に物品を出し入れすることができ、しかも、異なる第２係止部に第１係止部を係止することによって取り付け態様を変更することができる収納具を提供することにある。
【０００８】
本発明の他の目的は、収納具本体の側部の他部側の第２係止部は開口近傍に、収納具本体の側部の一部側の第２係止部は前記他部側の第２係止部よりも底部側に夫々配してあることにより、収納具本体の開口量を最大限に、収納具本体の揺動を最小限にすることができる収納具を提供することにある。
【課題を解決するための手段】
【０００９】
第１発明に係る収納具は、手動推進車両の逆Ｕ字状をなすハンドルに着脱可能に取り付けられる収納具において、上部に開口を有し、物品を収納する収納具本体と、その両端が前記収納具本体の側部の一部に取り付けてある１本の提げ紐と、該提げ紐の中途に設けてある第１係止部と、前記収納具本体の側部の他部及び前記一部に夫々設けてあり、その何れか一方が前記第１係止部を係脱可能に係止して、前記提げ紐を、前記開口の上方、又は前記一部の外側でループ状となすための第２係止部とを備え、前記ハンドルに前記提げ紐を巻き掛け、該提げ紐が、前記開口の上方、又は前記一部の外側でループ状となるように、前記第１係止部と、前記他部に設けられた第２係止部、又は前記一部に設けられた第２係止部とを係止させることによって、前記ハンドルに取り付けられるようにしてあることを特徴とする。
【００１０】
第２発明に係る収納具は、前記他部に設けられた第２係止部は前記開口の近傍に配してあり、前記一部に設けられた第２係止部は、前記他部に設けられた第２係止部の位置よりも前記収納具本体の底部側の位置に配してあることを特徴とする。
【００１１】
第１発明にあっては、手動推進車両の逆Ｕ字状をなすハンドルに提げ紐を巻き掛け、提げ紐の第１係止部を第２係止部に係止させることによって、ループ状になされた提げ紐をハンドルに吊着する。この場合、収納具本体が提げ紐を介してハンドルに吊り下げられる。また、第１係止部と第２係止部との係止を解除することによって、提げ紐、延いては収納具がハンドルから取り外される。
【００１２】
収納具本体の側部の一部に取り付けてある提げ紐の中途に設けてある第１係止部と収納具本体の側部の他部に設けてある第２係止部とを係止した場合、提げ紐は収納具本体の開口の上方でループ状になされるため、提げ紐によって収納具本体の開口が部分的に閉鎖される。一方、第１係止部と前記一部に設けてある第２係止部とを係止した場合、提げ紐は前記一部の後方でループ状になされるため、提げ紐によって収納具本体の開口が閉鎖されることはない。
【００１３】
また、提げ紐は、自身の両端が収納具本体に取り付けてあるため、第１係止部と第２係止部との係止／係止解除にかかわらず、収納具の手提げ部としても使用可能である。
【００１４】
第２発明にあっては、第１係止部と、収納具本体の側部の他部の第２係止部とが係止した場合、例えば該第２係止部より底部側に設けられた第２係止部と第１係止部とが係止した場合に比べて、開口の開口量が大きくなる。また、第１係止部と、収納具本体の側部の一部の第２係止部とが係止した場合、例えば該第２係止部より開口側に設けられた第２係止部と第１係止部とが係止した場合に比べて、ループ状になされた提げ紐と収納具本体との間のスペースが小さくなる。
【発明の効果】
【００１５】
第１発明の収納具による場合、手動推進車両のハンドルに対する収納具の取り付け及び取り外しが、１本の提げ紐に設けられた第１係止部と収納具本体に設けられた第２係止部との係止及び係止解除による一箇所で行なわれるため、使用者の利便性を向上させることができる。
【００１６】
更に、収納具を、ハンドルの下側又は手動推進車両の背面側等、使用者の利便性の高い位置に、簡易に適宜配置することができる。また、収納具本体の手提げ部が一箇所に集められて収納具本体の開口の開口量が減少することがない。
【００１７】
第１係止部と収納具本体の側部の一部に設けてある第２係止部とを係止した場合、提げ紐は収納具本体の開口を閉鎖しないため、物品の出し入れを阻害しない。以上の結果、前記開口から容易に物品を出し入れすることができる。
【００１８】
一方、第１係止部と収納具本体の側部の他部に設けてある第２係止部とを係止した場合、提げ紐は収納具本体の開口を部分的に閉鎖するため、収納具本体の開口の開口量を減少させて、開口から物品が脱落することを抑制することができる。しかも、提げ紐の隙間、又は提げ紐と収納具本体の開口縁との間から収納具本体に対して比較的容易に物品を出し入れすることができる。以上の結果、前記開口からの物品の出し入れの利便性と物品の脱落抑制とを両立させることができる。
【００１９】
第２発明の収納具による場合、第１係止部と、収納具本体の側部の他部の開口近傍に設けられた第２係止部とが係止したとき、収納具本体の開口量を最大限にすることができるため、提げ紐によって部分的に閉鎖されている収納具本体の開口からの物品の出し入れの利便性を更に向上させることができる。
【００２０】
また、第１係止部と、収納具本体の側部の一部に設けられた第２係止部とが係止したとき、ループ状になされた提げ紐と収納具本体との間のスペースが小さくなるため、収納具本体の揺動を最小限にすることができ、提げ紐によって閉鎖されていない収納具本体の開口からの物品の脱落を抑制することができる。
【発明を実施するための最良の形態】
【００２１】
以下、本発明を、その実施の形態を示す図面に基づいて詳述する。
【００２２】
図１は、本発明に係る収納具１を一の態様でベビーカー６に取り付けた状態を示す正面図であり、図２は、他の態様で取り付けた状態を示す拡大正面図である。図３は、収納具１の構成を示す背面図である。収納具１は、合成繊維製の織布を用いてなり、上部に開口２ａを有し、哺乳瓶、タオル等の物品７，７，…を収納する袋状の収納具本体２と、その両端が収納具本体２に取り付けてある１本の帯状の提げ紐３とを備える。袋状の収納具本体２は、各矩形状の正面部２３、背面部２４、両側面部２５，２５及び底面部２６を有し、提げ紐３の両端は、収納具本体２の背面部２４の開口２ａ周縁部に縫着してある。また、収納具本体２の正面部２３の下外側には、上部に開口２ｂ，２ｂを有するポケット２１，２１が配してある。
【００２３】
ここで、収納具１は、収納具１は、ベビーカー６の背面側に立つ使用者が使用するため、収納具１の背面部２４とベビーカー６の背面側とが対向配置される。
【００２４】
ポケット２１，２１は、収納具本体２の正面部２３の面積よりも小さい面積を有する矩形の織布を収納具本体２の外側に重ねて、前記織布の上側の１辺以外の３辺を収納具本体２に縫着し、さらに、左右方向中央位置を上下方向に縫着して形成してある。ポケット２１，２１夫々の開口端部を含む収納具本体２の周縁部にはバイアステープが縫着されて、収納具本体２の周縁部を補強し、また、収納具１の美観を向上させている。
【００２５】
更に、収納具本体２の両側面部２５，２５の下外側には、上部に開口２ｃ，２ｃを有するポケット２２，２２が配してある。各ポケット２２は、側面部２５の面積よりも小さい面積を有し、伸縮性を有する矩形状のメッシュを収納具本体２の外側に重ねて、前記メッシュの上側の１辺以外の３辺を収納具本体２に縫着してある。前記メッシュの上端部にはゴムテープが縫着されて、ポケット２２，２２の収納容量を可変にしてある。
【００２６】
提げ紐３の中央部には、スナップの雄部を用いてなる１個の第１係止部４が固定してある。
【００２７】
正面部２３の左右方向中央部、かつ開口２ａ近傍には、スナップの雌部を用いてなる１個の第２係止部５１が、係合側を収納具本体２の外面側にして固定してある。同様に、背面部２４の左右方向中央部、かつ上下方向中央部の底面部２６寄りには、スナップの雌部を用いてなる１個の第２係止部５２が固定してある。
【００２８】
ベビーカー６は、乳幼児が乗車する座席ユニット６０の後部上方に逆Ｕ字状をなすパイプ状のハンドル６１が配されている。ハンドル６１は、座席ユニット６０の左右方向に配された握り部６ａと、座席ユニット６０の後部両側方に略上下方向に配されて握り部６ａを一体に支持する支持部６ｂ，６ｃとで構成されている。握り部６ａと支持部６ｂ，６ｃ上部とは、合成ゴム製のカバーに覆われており、ベビーカー６の使用者が握持した場合に、摩擦力によって手が滑りにくくしてある。
【００２９】
以上のような収納具１を用いる場合、使用者は、例えばベビーカー６の背後に立って、ポケット２１，２１が手前側になり、第１係止部４と第２係止部５１，５２との係止が解除された状態の提げ紐３で収納具本体２を吊り提げるようにして、収納具１を手に持つ。
【００３０】
収納具本体２の開口２ａを部分的に閉鎖した状態で収納具１をベビーカー６に取り付けたい場合（図２）、使用者は、提げ紐３をハンドル６１の握り部６ａに奥側から手前側へ一重に巻き掛け、第１係止部４と第２係止部５１とを係止させる。このとき、第１係止部４及び第２係止部５１の係止によってループ状になされた状態で提げ紐３がハンドル６１に吊着され、ハンドル６１に吊着された提げ紐３に吊り下げられて、収納具本体２が握り部６ａの下側に配される。
【００３１】
このような態様でベビーカー６に取り付けられた収納具１は、提げ紐３が収納具本体２の開口２ａの上方でループ状に配されているため、収納具本体２内に収納された物品７，７，…が開口２ａから脱落し難い。しかも、第２係止部５１が開口２ａ近傍に配されているため開口２ａの開口量は提げ紐３の長さに応じて最大限となる。このため、提げ紐３の隙間、又は提げ紐３と収納具本体２の開口２ａ周縁との隙間から収納具本体２に対して比較的容易に物品７，７，…を出し入れすることができる。
【００３２】
収納具本体２の開口２ａを完全に開放した状態で収納具１をベビーカー６に取り付けたい場合（図１）、使用者は、提げ紐３をハンドル６１の握り部６ａに手前側から奥側へ一重に巻き掛け、第１係止部４と第２係止部５２とを係止させる。このとき、第１係止部４及び第２係止部５２の係止によってループ状になされた状態で提げ紐３がハンドル６１に吊着され、ハンドル６１に吊着された提げ紐３に吊り下げられて、収納具本体２が握り部６ａの下側に配される。
【００３３】
このような態様でベビーカー６に取り付けられた収納具１は、提げ紐３が収納具本体２の開口２ａの上方に配されておらず、収納具１後方でループ状に配されているため、収納具本体２に対して容易に物品７，７，…を出し入れすることができる。しかも、第２係止部５２が比較的底面部２６の近傍に配されているため、提げ紐３と収納具本体２との間のスペースが小さくなり、ハンドル６１に吊着された収納具本体２の揺動を最小限にすることができ、提げ紐３によって閉鎖されていない収納具本体２の開口２ａからの物品７，７，…の脱落を抑制することができる。
【００３４】
以上の場合、提げ紐３とハンドル６１（特に握り部６ａ）との摩擦係数を高くすることによって、ハンドル６１に吊着された収納具本体２の揺動を更に減少させることができる。
【００３５】
また、第１係止部４と第２係止部５１，５２との係止を解除することによって、収納具１は容易にハンドル６１から取り外される。ベビーカー６から取り外した収納具１は、提げ紐３を収納具１の手提げ部として用いることによって、収納具１に物品７，７，…を収納したまま容易に携帯が可能である。
【００３６】
なお、収納具１は、ベビーカー以外の手動推進車両、例えばショッピングカートのハンドルに取り付けてもよい。また、ハンドル６１の形状は、２本の支持部６ｂ，６ｃが１本の握り部６ａを支持する構成に限らず、例えば、左右に分かれた２本の握り部夫々を支持部６ｂ，６ｃが支持する構成でもよい。更にまた、第２係止部の位置及び個数は本実施の形態の位置及び個数に限定されるものではなく、例えば、更に複数の第２係止部を、上下方向の位置を異ならせて設けてもよい。この場合、第１係止部４と第２係止部との係止によってループ状になされる提げ紐３の長さを調整することが可能となる。また、各係止部は、スナップの代わりに面ファスナ、ホック等を用いて構成してもよい。
【図面の簡単な説明】
【００３７】
【図１】本発明に係る収納具を一の態様でベビーカーに取り付けた状態を示す正面図である。
【図２】本発明に係る収納具を他の態様でベビーカーに取り付けた状態を示す拡大正面図である。
【図３】本発明に係る収納具の構成を示す背面図である。
【符号の説明】
【００３８】
１  収納具
２  収納具本体
２３  正面部（収納具本体の側部の他部）
２４  背面部（収納具本体の側部の一部）
２６  底面部（底部）
２ａ，２ｂ，２ｃ  開口
３  提げ紐
４  第１係止部
５１，５２  第２係止部
６  ベビーカー（手動推進車両）
６１  ハンドル
７  物品
【図１】
0004403118.tif 000002
【図２】
0004403118.tif 000003
【図３】
0004403118.tif 000004